(57)【要約】【課題】簡単な操作で植物の誘引が可能で、植物を傷付けることのない植物栽培用の留め具を提供する。【解決手段】通常はバネ材５１によって圧接するように付勢された一対の挟着部４１、及び前記挟着部４１を開放するように押圧する把持部４２、並びに前記挟着部４１の外側に突設した突起部４６を備えるクリップ部２と、このクリップ部２から延出し、この延出部分を支柱７及び植物の茎６１に掛け回すと共に、前記挟着部４１で挟着する紐部３と、で植物栽培用の留め具１を構成した。【選択図】    図６
2005013035.tif 000002
【特許請求の範囲】
【請求項１】
農芸作業において、植物を支柱に誘引するための植物栽培用の留め具であって、
通常は圧接するように付勢された挟着部、及び前記挟着部を開放するように押圧する把持部、並びに前記挟着部の外側に突設した突起部を備えるクリップ部と、
前記クリップ部から延出し、この延出部分を支柱及び植物の茎に掛け回すと共に、前記挟着部で挟着する紐部と、
からなることを特徴とする植物栽培用の留め具。
【発明の詳細な説明】
【０００１】
【発明の属する技術分野】
本発明は、農業或いは趣味の園芸において、植物の茎を支柱に誘引して結び止めるための植物栽培用の留め具に関するものである。
【０００２】
【従来の技術】
農業或いは趣味の園芸において、例えば、トマトやナス等の植物を栽培するときには、苗木が風などで倒れないように、また果実の重みに耐え得るように、畑から起立させた支柱或いは上方から吊下げた誘引紐に、茎を結び付ける誘引を行っている。
この誘引は、古くは棕櫚縄等によって、一本一本手作業によって結び付けていた。
しかしながら、この作業は、非常に手間暇の掛かる煩雑な作業であった。
【０００３】
そこで、第１及び第２の保持部を設けた一対の開閉自在なクリップアームを備え、前記第１の保持部によって誘引紐を挟み込み、第２の保持部によって茎を保持するようにしたクリップ具をはじめ、種々の植物栽培用の留め具が提案されている（例えば、特許文献１参照。）。
【０００４】
【特許文献１】
特開２００１−２０４２６７号公報
【０００５】
【発明が解決しようとする課題】
しかしながら、従来の植物栽培用の留め具は、何れも合成樹脂により製造されており、合成樹脂製の保持部によって植物の茎を保持するように成っている。即ち、ほゞ半円形に形成された一対の保持部を一旦開放し、この開放した状態で茎を保持部の内部に挿入し、前記保持部を閉塞することにより、保持部の内部に茎を通して保持していた。
このため、茎が保持部に直接ぶつかってしまい、茎が傷付いたり、この傷が原因となって、植物が枯れてしまうことさえあった。
そこで、手間暇は掛かるが、茎を傷つける恐れのない、紐の結び付けによる誘引を愛用する農家や園芸家が多数存在しているのが現状である。
【０００６】
本発明は、簡単な操作で植物の誘引が可能で、植物を傷付けることのない植物栽培用の留め具を提供することを目的とする。
【０００７】
【課題を解決するための手段】
上記に鑑み発明された本発明の請求項１に記載した植物栽培用の留め具は、農芸作業において、植物を支柱に誘引するための植物栽培用の留め具であって、通常は圧接するように付勢された挟着部、及び前記挟着部を開放するように押圧する把持部、並びに前記挟着部の外側に突設した突起部を備えるクリップ部と、前記クリップ部から延出し、この延出部分を支柱及び植物の茎に掛け回すと共に、前記挟着部で挟着する紐部と、からなる。
【０００８】
【発明の実施の形態】
以下、図面に基づいて本発明の一実施形態を説明する。
本発明に係る植物栽培用の留め具１は、図１に示すように、クリップ部２と、このクリップ部２に一端を止着して延出する紐部３と、から構成してある。
【０００９】
クリップ部２は、支点を中心にして互いに揺動自在な一対の止着部材４、４と、この止着部材４の一端を閉止するように付勢するバネ等の付勢部材５とで構成してある。即ち、このクリップ部２は、洗濯挟み状に構成した部材であって、例えば、合成樹脂製の止着部材４と、付勢部材５としての金属製のバネ材５１とで構成してある。
【００１０】
一対の止着部材４、４は、互いに対称な共通部材であって、一端に挟着部４１を、他端に把持部４２を形成し、前記挟着部４１に近い部分に丸山状に突出する支点部４３を形成すると共に前記挟着部４１と支点部４３との間に、空間部４４が形成してある。
【００１１】
また、止着部材４には、長手方向に沿って溝部４５を開設し、この溝部４５に前記付勢部材５として、波形のバネ材５１を嵌装する。即ち、図３の断面図に示すように、支点部４３を中心にして揺動自在な一対の止着部材４において、先端を挟着部４１内に係止させて、当該挟着部４１を互いに圧接するように付勢するバネ材５１を嵌装するのである。尚、このように、波形のバネ材５１を溝部４５に嵌装するときは、当該バネ材５１が止着部材４の外部に突出しないので好ましい。
【００１２】
これにより、通常は、前記バネ材５１の付勢によって、対向する前記挟着部４１、４１が閉じて圧接しているが、対向する前記把持部４２、４２を互いに接近するように摘んで押圧すると、前記互いに圧接した挟着部４１、４１が、前記バネ材５１の付勢に抗して開き、前記空間部４４が外部に連通することになる。そして、前記把持部４２、４２に対する押圧を解けば、再び対向する挟着部４１、４１が圧接すると共に、空間部４４と外部との連通が再び遮断される。
【００１３】
また、止着部材４には、前記挟着部４１の反対側に、即ち止着部材４の外側に、突起部４６を突設する。尚、図示の実施形態では、この突起部４６の内部に前記バネ材５１が係止している。
【００１４】
更に、図示していないが、止着部材４には、後述する紐部３を挿通するための、挿通部が支点部４３の内側に形成してある。言い換えると、支点部４３の間が空間になっている。
【００１５】
前記のように構成したクリップ部２には、前記紐部３を設ける。即ち、紐材の一端を前記挿通部に通して抜け止めを施し、他端を前記空間部４４から外部に延在させて自由端とする。尚、前記抜け止めは、止め結び３１を行ってもよいし、焼いて拡径させてもよいが、止着部材４の開閉を妨げることのないように行う。また、紐材としては、例えば、塩化ビニール、ポリエチレン、ポリプロピレン等、各種合成樹脂製の紐や、棕櫚縄、麻縄等の天然素材の紐を適宜に使用でき、形状も組紐、編紐、テープ等を使用できる。更に、この紐部３の長さは、対象となる茎の太さや支柱の太さに応じて適宜に決定すればよいが、概ね１０〜３０ｃｍ程度が扱い易い。
【００１６】
次に、本発明に係る植物栽培用の留め具１の使用法を、例えばトマトの栽培に適用した場合を、図４〜図６において説明する。
【００１７】
先ず、図４において、トマトの各苗木６に対して各々１本の支柱７を畑Ｇから起立させ、各支柱７の上部に横桟７１を渡して安定させる。尚、支柱７の建て方は、従来の方法でよく、三角形にまとめてもよい。
【００１８】
次に、図５、図６、及び図１を参照して、前記支柱７に対して、茎６１を誘引固定する方法を説明する。本発明に係る植物栽培用の留め具１を、所望の高さにおいて、クリップ部２から延出する紐部３が、支柱７側になるように当該支柱７に宛てがい、紐部３の自由端を支柱７の向こう側から手前側に出し、更に茎６１の手前から向こう側に回し、更に前記紐部３と交差させて再び手前側に引き出す。即ち、紐部３によって数字の８の字を画くようにする。このようにすれば、支柱７と茎６１との間に、紐部３の交差部３２が介在することになり、茎６１が支柱７に直接当たることを防止できる。
【００１９】
前記のように８の字状に掛け渡した紐部３の余剰部分を、一旦、挟着部を開いて、図１に示すように、空間部４４に通し、上方の止着部材４の上側に回し、再び把持部４２を押圧して挟着部４１を開くと共に、紐部３の折返部分を挟着部４１で挟着し、図６に示す状態とする。尚、このとき、挟着部４１の外側には突起部４６が形成してあるので、挟着部４１に回した紐部３が外れることがない。尚また、前記紐部３の自由端を前記空間部４４に通す際に、挟着部４１を開くことなく直接空間部４４へ通すようにしてもよい。
【００２０】
このようにして、本発明に係る植物栽培用の留め具１を用いれば、例えばトマトの茎６１を支柱７に対して極めて容易に誘引することができる。しかも、茎６１と支柱７とが直接触れることがないし、茎６１に優しい紐部３によって誘引しているので、茎６１が傷付くことがない。
【００２１】
また、紐部３によって、誘引するので、支柱７の径や茎６１の径に拘らず、所望のサイズ或いは強さで誘引することができ、植物の成長に合せて調整することも可能である。勿論、誘引する位置の移動も自在である。
【００２２】
以上本発明を図面の実施形態について説明したが、本発明は前記した実施の形態に限定されるものではなく、特許請求の範囲に記載した構成を変更しない限り適宜に実施できる。例えば、図示の実施の形態では、付勢部材としてバネ材を別途設けているが、クリップ部自体に弾性を持たせて挟着部が互いに圧接するようにしてもよい。
【００２３】
【発明の効果】
以上説明したように、本発明は、農芸作業において、植物を支柱に誘引するための植物栽培用の留め具であって、通常は圧接するように付勢された挟着部、及び前記挟着部を開放するように押圧する把持部、並びに前記挟着部の外側に突設した突起部を備えるクリップ部と、前記クリップ部から延出し、この延出部分を支柱及び植物の茎に掛け回すと共に、前記挟着部で挟着する紐部と、からなるので、植物に優しい紐によって誘引することができ、植物を傷付けることがない。しかも、紐部を挟着部に回して挟み込むという簡単な操作で当該紐部を固定でき、また解き放しも極めて容易であるので、紐を結び付けて誘引する場合に比べて手間暇が掛からず、極めて容易に誘引可能である。従って、本発明によれば、植物の栽培において重要な且つ煩雑な誘引作業の作業能率が著しく向上する。そして、植物の成長に合せて、最適な位置及び強さで誘引できるので、植物にストレスを与えることがなく、収穫量の増大も期待できる。
【図面の簡単な説明】
【図１】本発明に係る植物栽培用の留め具の斜視図である。
【図２】本発明に係る植物栽培用の留め具の平面図である。
【図３】本発明に係る植物栽培用の留め具の断面図である。
【図４】本発明に係る植物栽培用の留め具を使用した誘引方法の説明図である。
【図５】本発明に係る植物栽培用の留め具の使用法の第１の説明図である。
【図６】本発明に係る植物栽培用の留め具の使用法の第２の説明図である。
【符号の説明】
１  留め具
２  クリップ部
３  紐部
４  止着部材
５  付勢部材
６  苗木
７  支柱
３１  止め結び
３２  交差部
４１  挟着部
４２  把持部
４３  支点部
４４  空間部
４５  溝部
４６  突起部
５１  バネ材
６１  茎
７１  横桟
Ｇ  畑
【図１】
2005013035.tif 000003
【図２】
2005013035.tif 000004
【図３】
2005013035.tif 000005
【図４】
2005013035.tif 000006
【図５】
2005013035.tif 000007
【図６】
2005013035.tif 000008